(57)【要約】【課題】光導波路との物理的な干渉を防止できる光モジュール、これを実装した回路基板および通信システムを提供すること。【解決手段】基板実装面に開口を有する内部空間と、前記内部空間の内表面の一部を構成する素子実装面と、前記基板実装面と交差している側面側に形成され、前記基板実装面に開口するとともに前記内部空間に連通する導波路導入口とを有する筐体と、前記素子実装面に実装された光学素子と、を備え、前記基板実装面において回路基板に実装された場合に、前記回路基板の表面に突出する光導波路が前記導波路導入口から前記内部空間に導入される。【選択図】図１
2013142731.tif 000002
【特許請求の範囲】
【請求項１】
基板実装面に開口を有する内部空間と、前記内部空間の内表面の一部を構成する素子実装面と、前記基板実装面と交差している側面側に形成され、前記開口および前記内部空間に繋がる導波路導入口とを有する筐体と、
前記素子実装面に実装された光学素子と、
を備え、前記基板実装面において回路基板に実装された場合に、前記回路基板の表面に突出する光導波路が前記導波路導入口から前記内部空間に導入されることを特徴とする光モジュール。
【請求項２】
前記筐体は、前記素子実装面を有する板部材と、前記板部材と接合された、前記基板実装面を有する枠部材とを備えることを特徴とする請求項１に記載の光モジュール。
【請求項３】
前記筐体は、前記回路基板に実装する際の位置合わせを行うためのガイド孔を備えることを特徴とする請求項１または２に記載の光モジュール。
【請求項４】
前記光学素子に対応させて配置されたレンズ素子と、前記レンズ素子を前記配置の位置に保持する保持ホルダとを備え、前記保持ホルダは、ＭＴ型光コネクタと嵌合できるように形成された２つのガイド孔を有することを特徴とする請求項１〜３のいずれか一つに記載の光モジュール。
【請求項５】
前記保持ホルダと前記素子実装面との間に介挿されたスペーサを備えることを特徴とする請求項４に記載の光モジュール。
【請求項６】
前記スペーサは、前記板部材よりも剛性が高い材料からなることを特徴とする請求項５に記載の光モジュール。
【請求項７】
前記スペーサの厚さは、前記内部空間の高さの公差によって生じる前記基板実装面から前記レンズ素子の集光点までの距離のばらつきを減少するように補正するように選定されていることを特徴とする請求項５または６に記載の光モジュール。
【請求項８】
前記素子実装面に実装され、前記光学素子と接続した電子素子を備えることを特徴とする請求項１〜７のいずれか一つに記載の光モジュール。
【請求項９】
前記保持ホルダは金属からなり、前記保持ホルダと前記電子素子との間の隙間が熱伝導性の樹脂で充填されていることを特徴とする請求項８に記載の光モジュール。
【請求項１０】
前記電子素子は、前記素子実装面に形成された凹部に実装されていることを特徴とする請求項８または９に記載の光モジュール。
【請求項１１】
前記筐体は、前記電子素子の裏面側から貫通するように形成された放熱構造を備えることを特徴とする請求項８〜１０のいずれか一つに記載の光モジュール。
【請求項１２】
前記放熱構造は、前記筐体に埋設された放熱部材であることを特徴とする請求項１１に記載の光モジュール。
【請求項１３】
前記放熱部材は、前記筐体に形成されたビアホールに埋設されていることを特徴とする請求項１２に記載の光モジュール。
【請求項１４】
前記板部材と前記枠部材を接合する接合部材の耐熱性が、前記筐体と前記基板を接合する接合部材の耐熱性よりも高いことを特徴とする請求項１〜１３のいずれかに記載の光モジュール。
【請求項１５】
基板表面に突出する光導波路と、
前記光導波路が前記導波路導入口から前記内部空間に導入されるように、前記基板実装面において実装された、請求項１〜１４のいずれか一つに記載の光モジュールと、
を備えることを特徴とする回路基板。
【請求項１６】
前記板部材と前記枠部材を接合する接合部材の耐熱性が、前記筐体と前記基板を接合する接合部材の耐熱性よりも高いことを特徴とする請求項１５に記載の回路基板。
【請求項１７】
請求項１〜１６のいずれか一つに記載の光モジュールまたは回路基板を用いたことを特徴とする通信システム。
【発明の詳細な説明】
【技術分野】
【０００１】
本発明は、光モジュール、これを実装した回路基板および通信システムに関する。
【背景技術】
【０００２】
エクサスケールコンピューティングの実現のために、ボード間での光インターコネクションが研究されている。光インターコネクションにおいては、光送信器または光受信器である光モジュールが光伝送路を介して光信号の送受信を行う。特許文献１〜４には、光モジュールと光伝送路とが回路基板に形成されている構成が記載されている。
【先行技術文献】
【特許文献】
【０００３】
【特許文献１】特開２００４−２９６２１号公報
【特許文献２】特開２０００−９８１５３号公報
【特許文献３】特開２００２−１８９１３７号公報
【特許文献４】特開２００３−１３９９７９号公報
【発明の概要】
【発明が解決しようとする課題】
【０００４】
ボード間光インターコネクションでは、光伝送路として、有機光学材料からなる有機光導波路の適用が期待されている。しかしながら、有機光導波路は、回路基板上に貼り付けて用いられるため、基板表面に突出している。そのため、有機光導波路が回路基板上に搭載され、有機導波路と光学的に結合される光モジュールの筐体と物理的に干渉するおそれがあるという問題があった。
【０００５】
本発明は、上記に鑑みてなされたものであって、光導波路との物理的な干渉を防止できる光モジュール、これを実装した回路基板および通信システムを提供することを目的とする。
【課題を解決するための手段】
【０００６】
上述した課題を解決し、目的を達成するために、本発明に係る光モジュールは、基板実装面に開口を有する内部空間と、前記内部空間の内表面の一部を構成する素子実装面と、前記基板実装面と交差している側面側に形成され、前記開口および前記内部空間に繋がる導波路導入口とを有する筐体と、前記素子実装面に実装された光学素子と、を備え、前記基板実装面において回路基板に実装された場合に、前記回路基板の表面に突出する光導波路が前記導波路導入口から前記内部空間に導入されることを特徴とする。
【０００７】
また、本発明に係る光モジュールは、上記の発明において、前記筐体は、前記素子実装面を有する板部材と、前記板部材と接合された、前記基板実装面を有する枠部材とを備えることを特徴とする。
【０００８】
また、本発明に係る光モジュールは、上記の発明において、前記筐体は、前記回路基板に実装する際の位置合わせを行うためのガイド孔を備えることを特徴とする。
【０００９】
また、本発明に係る光モジュールは、上記の発明において、前記光学素子に対応させて配置されたレンズ素子と、前記レンズ素子を前記配置の位置に保持する保持ホルダとを備え、前記保持ホルダは、ＭＴ型光コネクタと嵌合できるように形成された２つのガイド孔を有することを特徴とする。
【００１０】
また、本発明に係る光モジュールは、上記の発明において、前記保持ホルダと前記素子実装面との間に介挿されたスペーサを備えることを特徴とする。
【００１１】
また、本発明に係る光モジュールは、上記の発明において、前記スペーサは、前記板部材よりも剛性が高い材料からなることを特徴とする。
【００１２】
また、本発明に係る光モジュールは、上記の発明において、前記スペーサの厚さは、前記内部空間の高さの公差によって生じる前記基板実装面から前記レンズ素子の集光点までの距離のばらつきを減少するように補正する補正するように選定されていることを特徴とする。
【００１３】
また、本発明に係る光モジュールは、上記の発明において、前記素子実装面に実装され、前記光学素子と接続した電子素子を備えることを特徴とする。
【００１４】
また、本発明に係る光モジュールは、上記の発明において、前記保持ホルダは金属からなり、前記保持ホルダと前記電子素子との間の隙間が熱伝導性の樹脂で充填されていることを特徴とする。
【００１５】
また、本発明に係る光モジュールは、上記の発明において、前記電子素子は、前記素子実装面に形成された凹部に実装されていることを特徴とする。
【００１６】
また、本発明に係る光モジュールは、上記の発明において、前記筐体は、前記電子素子の裏面側から貫通するように形成された放熱構造を備えることを特徴とする。
【００１７】
また、本発明に係る光モジュールは、上記の発明において、前記放熱構造は、前記筐体に埋設された放熱部材であることを特徴とする。
【００１８】
また、本発明に係る光モジュールは、上記の発明において、前記放熱部材は、前記筐体に形成されたビアホールに埋設されていることを特徴とする。
【００１９】
また、本発明に係る光モジュールは、上記の発明において、前記板部材と前記枠部材を接合する接合部材の耐熱性が、前記筐体と前記基板を接合する接合部材の耐熱性よりも高いことを特徴とする。
【００２０】
また、本発明に係る回路基板は、基板表面に突出する光導波路と、前記光導波路が前記導波路導入口から前記内部空間に導入されるように、前記基板実装面において実装された、上記の発明の光モジュールと、を備えることを特徴とする。
【００２１】
また、本発明に係る回路基板は、上記の発明において、前記板部材と前記枠部材を接合する接合部材の耐熱性が、前記筐体と前記基板を接合する接合部材の耐熱性よりも高いことを特徴とする。
【００２２】
また、本発明に係る通信システムは、上記の光モジュールまたは回路基板を用いたことを特徴とする。
【発明の効果】
【００２３】
本発明によれば、光導波路との物理的な干渉を防止できるという効果を奏する。
【図面の簡単な説明】
【００２４】
【図１】図１は、実施の形態１に係る光モジュールの模式的な斜視図である。
【図２】図２は、図１に示す光モジュールの分解図である。
【図３】図３は、図１に示す光モジュールの平面図である。
【図４】図４は、図３のＡ−Ａ線断面図である。
【図５】図５は、図１に示す光モジュールの正面図である。
【図６】図６は、図３のＢ−Ｂ線断面図である。
【図７】図７は、光モジュールの回路基板への実装方法を説明する図である。
【図８】図８は、回路基板上に実装された光モジュールを説明する図である。
【図９】図９は、実施の形態２に係る光モジュールの模式的な断面図である。
【発明を実施するための形態】
【００２５】
以下に、図面を参照して本発明に係る光モジュールおよび回路基板の実施の形態を詳細に説明する。なお、この実施の形態によりこの発明が限定されるものではない。また、各図面において、同一または対応する要素には適宜同一の符号を付している。さらに、図面は模式的なものであり、各要素の寸法の関係などは、現実のものとは異なる場合があることに留意する必要がある。図面の相互間においても、互いの寸法の関係や比率が異なる部分が含まれている場合がある。
【００２６】
（実施の形態１）
図１は、実施の形態１に係る光モジュールの模式的な斜視図である。図２は、図１に示す光モジュールの分解図である。図３は、図１に示す光モジュールの平面図である。図４は、図３のＡ−Ａ線断面図である。図５は、図１に示す光モジュールの正面図である。図６は、図３のＢ−Ｂ線断面図である。以下、図１〜図６を用いて本実施の形態１に係る光モジュールについて説明する。
【００２７】
光モジュール１００は、筐体１０と、ＶＣＳＥＬ（Vertical  Cavity  Surface  Emitting  Laser）アレイ素子２０と、ＩＣドライバ３０と、マイクロレンズアレイ素子４０と、レンズアレイ素子ホルダ５０と、スペーサ６０と、を備えている。
【００２８】
筐体１０は、矩形状の板部材１１と、コの字状の枠部材１２とを有している。板部材１１は、たとえば樹脂などの誘電体と、配線パターンを形成する銅箔とを交互に例えば５層ずつ積層した積層基板の構造を有する。枠部材１２は、たとえば樹脂などの誘電体と、配線パターンを形成する銅箔とを交互に例えば９層ずつ積層した積層基板の構造を有する。板部材１１と枠部材１２とは、板部材１１と枠部材１２との間の配線パターンの導通を確保するように、接合層１３において半田やＡｕバンプ等によって接合されている。板部材１１と枠部材１２とが接合されることによって、筐体１０には、内部空間１４と、素子実装面１１ａと、導波路導入口１５とが形成される。内部空間１４は、枠部材１２の板部材１１に接合している面とは反対側の基板実装面１２ａに開口１４ａを有し、枠部材１２に囲まれている。素子実装面１１ａは、枠部材１２が接合されていない板部材１１の表面であり、内部空間１４の内表面の一部を構成する。導波路導入口１５は、基板実装面１２ａと交差している側面側に、枠部材１２の開口によって形成され、開口１４ａおよび内部空間１４に繋がっている。
【００２９】
素子実装面１１ａにはマーカ１１ａａと、ＩＣドライバ３０を実装するための凹部１１ａｂとが形成されている。基板実装面１２ａには、例えば直径４５０μｍの平面電極パッド１６を例えばピッチ１ｍｍで格子状に並べたランドグリッドアレイが形成されている。平面電極パッド１６には、たとえば電源用の平面電極パッド１６ａ、差動高周波信号用の平面電極パッド１６ｂ、グラウンド用の平面電極パッド１６ｃ、制御信号用の平面電極パッド１６ｄ、がある。図中、同種の平面電極パッドは同種のハッチングで表している。
【００３０】
また、筐体１０には、枠部材１２から板部材１１まで貫通するように形成された、位置合わせ（アラインメント）用の３個のガイド孔１７を有する。ガイド孔１７は、図３において、二等辺三角形を形成するように配置されている。
【００３１】
光学素子であるＶＣＳＥＬアレイ素子２０は、複数（例えば１２個）のＶＣＳＥＬ素子が１次元アレイ状に配列された素子であって、素子実装面１１ａの凹部１１ａｂの近傍に実装されている。電子素子であるＩＣドライバ３０はＶＣＳＥＬアレイ素子２０を駆動するためのものであって、素子実装面１１ａの凹部１１ａｂに実装されている。マイクロレンズアレイ素子４０は、ＶＣＳＥＬアレイ素子２０に対応させて配置されるものであり、ＶＣＳＥＬアレイ素子２０のＶＣＳＥＬ素子の数に対応した、例えば１２個のマイクロレンズが１次元アレイ状に配列されて構成された素子である。マイクロレンズアレイ素子４０は石英系ガラスなどのガラスや樹脂等のＶＣＳＥＬアレイ素子の出射光に関して透光性の材料からなるものである。
【００３２】
レンズアレイ素子ホルダ５０は、マイクロレンズアレイ素子４０を、主表面５１に形成された保持孔５２によって保持し、かつマイクロレンズアレイ素子４０の各マイクロレンズの光軸がＶＣＳＥＬアレイ素子２０の対応する各ＶＣＳＥＬ素子の光軸と一致するように保持する。レンズアレイ素子ホルダ５０は、保持孔５２の両側に形成された、アラインメント用のガイド孔５３を有する。このガイド孔５３を用いることで、ＭＴ型光コネクタを光モジュール１００に嵌合させることができ、光モジュール１００の特性を容易に試験することが可能となる。ＭＴ型光コネクタとは、JIS C5981に規定されたＭＴコネクタのように接続端面の両端に嵌合ピンの挿入可能なガイドピン孔を持ち、その間に光ファイバを配列した光コネクタを指す。スペーサ６０は、板部材１１の素子実装面１１ａとレンズアレイ素子ホルダ５０との間に介挿される。このスペーサ６０の厚みを変えると、マイクロレンズアレイ素子４０とＶＣＳＥＬアレイ素子２０との間の距離が変化することになる。それに伴い、ＶＣＳＥＬアレイ素子２０からマイクロレンズアレイ素子４０を通して出射されたレーザ光の集光位置も変化する。これによって、筐体１０の内部空間１４の高さの公差によって生じる、基板実装面１２ａからマイクロレンズアレイ素子４０の集光点までの距離のばらつきを減少するように補正することが可能である。レンズアレイ素子ホルダ５０は、枠部材１２に面する側面５４の一部が、主表面５１に対して傾斜するように面取り加工されている。なお、レンズアレイ素子ホルダ５０およびスペーサ６０はたとえば銅などの熱伝導性の高い金属材料からなるものが好ましい。
【００３３】
この光モジュール１００の動作を説明する。まず、ＩＣドライバ３０は、外部から平面電極パッド１６および筐体１０に形成された配線パターンを介して電源電圧信号、差動高周波信号、制御信号等を供給され、これらの信号を基にＶＣＳＥＬアレイ素子２０を駆動する。ＶＣＳＥＬアレイ素子２０の各ＶＣＳＥＬ素子は、差動高周波信号を含む、たとえば波長１．１〜１．５μｍのレーザ光信号を出力する。マイクロレンズアレイ素子４０の各マイクロレンズは、各ＶＣＳＥＬ素子から出力されたレーザ光信号を受け付けて集光し、例えば外部の光学部品との所定の光学結合を実現する。なお、光学結合を実現する場合は、マイクロレンズアレイ素子４０のようなレンズ素子を用いた方が、レンズ素子を用いないいわゆるバットカップリングよりも結合効率を高くできるので好ましい。
【００３４】
つぎに、この光モジュール１００の組立方法について説明する。まず、板部材１１と枠部材１２とを半田リフローやＡｕバンプの圧接等によって接合する。このとき、融点が例えば融点が２２０℃程度のＳｎＡｕＣ系半田を用いる。また、板部材１１と枠部材１２との間のアラインメントは、３個のガイド孔１７を用いて行うことができる。
【００３５】
つぎに、素子実装面１１ａにＶＣＳＥＬアレイ素子２０を実装する。ＶＣＳＥＬアレイ素子２０は、マーカ１１ａａを用いてアラインメントを行えば、より正確な位置に実装できるので好ましい。つぎに、素子実装面１１ａの凹部１１ａｂにＩＣドライバ３０を実装する。ＩＣドライバ３０は、素子実装面１１ａに形成された電極パッドとワイヤボンディングする。ＶＣＳＥＬアレイ素子２０とＩＣドライバ３０との間もワイヤボンディングする。ＩＣドライバ３０が凹部１１ａｂに実装されているので、ＶＣＳＥＬアレイ素子２０とＩＣドライバ３０との間の高さの差が小さくなるため、ボンディングワイヤの長さを短くできる。その結果、ＩＣドライバ３０からＶＣＳＥＬアレイ素子２０にワイヤボンディングを介して出力される差動高周波信号の品質の劣化が抑制される。
【００３６】
また、平面電極パッド１６のうち、電源用の平面電極パッド１６ａと制御信号用の平面電極パッド１６ｄは、枠部材１２の導波路導入口１５側（コの字の先端側）に配置されている。これによって、差動高周波信号用の平面電極パッド１６ｂから筐体１０内の配線パターンを通してＩＣドライバ３０に到る経路には、差動高周波信号以外の信号用の配線パターンが存在しないこととなる。そのため、差動高周波信号用の配線パターンの取り回しが容易となり、パターン長を短くできるので、差動高周波信号の品質の劣化が抑制される。
【００３７】
つぎに、接着剤等でスペーサ６０を素子実装面１１ａに接着する。ここで、内部空間１４の高さを確保しつつ光モジュール１００の高さを低く（低背化）して小型化するため、および、ＩＣドライバ３０が動作時に発生する熱を外部に効率よく放熱するためには、板部材１１の厚さが薄い方が好ましい。しかし、板部材１１が薄いとＩＣドライバ３０からの熱で反りやたわみ等の変形が生じるおそれがある。これによって、たとえばＶＣＳＥＬアレイ素子２０とマイクロレンズアレイ素子４０との距離が変化し、上記の所定の光学結合の状態が劣化するおそれがある。これに対して、スペーサ６０を金属等の、筐体１０よりも剛性が高い材料で形成すれば、上記の変形は抑制されるので、所定の光学結合の状態の劣化も抑制される。
【００３８】
また、上述したように、枠部材１２は誘電体と銅箔とを交互に積層した構造を有するので、その厚さに製造誤差等による設計値からの誤差が生じやすい。枠部材１２の厚さに誤差があると、内部空間１４の高さにも誤差が生じるため、マイクロレンズアレイ素子４０によって実現される所定の光学結合に誤差が生じることとなる。したがって、あらかじめ厚さが異なるスペーサ６０を用意しておき、あらかじめ測定した枠部材１２の厚さ（内部空間１４の高さ）の誤差に応じて、その誤差を相殺するような厚さのスペーサ６０を選定して用いれば、上記の光学結合の誤差の問題は解消される。
【００３９】
つぎに、レンズアレイ素子ホルダ５０の保持孔５２にマイクロレンズアレイ素子４０を挿入して接着する。つぎに、レンズアレイ素子ホルダ５０をスペーサ６０に載置し、ＶＣＳＥＬアレイ素子２０とマイクロレンズアレイ素子４０とのアラインメントとを行った後に、レンズアレイ素子ホルダ５０をスペーサ６０に接着する。このとき、レンズアレイ素子ホルダ５０やスペーサ６０とＩＣドライバ３０との隙間を、シリコーン等の熱伝導性の高い樹脂で充填すれば、ＩＣドライバ３０の動作時に発生する熱が樹脂を介してレンズアレイ素子ホルダ５０やスペーサ６０から放熱されるので好ましい。
【００４０】
ＶＣＳＥＬアレイ素子２０とマイクロレンズアレイ素子４０とのアラインメントは、ＶＣＳＥＬアレイ素子２０を動作させてレーザ光を出力させた状態で、マイクロレンズアレイ素子４０を透過した光の状態の観測によってアラインメントを行うという、いわゆるアクティブアラインメントによって行うことができる。なお、マイクロレンズアレイ素子４０を透過した光の状態の観測は、たとえば顕微鏡を用いて行っても良いし、公知のＭＴコネクタ付の光ファイバアレイのＭＴコネクタをマイクロレンズアレイ素子４０に対向させて、光ファイバアレイから出力されるレーザ光の強度を測定するようにしてもよい。ガイド孔５３は、ガイドピンを介して評価用のＭＴコネクタと位置決めするために設けられている。この場合、ＭＴコネクタのガイド孔とレンズアレイ素子ホルダ５０のガイド孔５３とにガイドピンを挿通するようにすれば、ＭＴコネクタをレンズアレイ素子ホルダ５０と容易に嵌合させることが可能である。この際にＭＴコネクタの光接続端面へ光が結合されるように有機導波路の光入出端面との間にスペーサを挿入する。これによって、ＭＴコネクタとマイクロレンズアレイ素子４０とを精度良くアラインメントすることができるとともに、光モジュール１００の特性を容易に評価することが可能である。これによって、より位置精度の高いアクティブアラインメントが実現される。
【００４１】
なお、上述したように、レンズアレイ素子ホルダ５０は、枠部材１２に面する側面５４の一部が面取り加工されているので、レンズアレイ素子ホルダ５０をスペーサ６０に接着するための接着剤を流し込みやすく、作業性が高い。
【００４２】
つぎに、光モジュール１００の回路基板への実装方法について説明する。図７は、光モジュールの回路基板への実装方法を説明する図である。図７に示すように、回路基板２００上には有機光導波路２１０が接着により搭載されている。有機光導波路２１０の一端は楔状の楔部２１１に加工されている。また、回路基板２００上には、光モジュール１００のガイド孔１７の配置に対応させて配置された３個のマーカ２２０が設けられている。
【００４３】
光モジュール１００を回路基板２００に実装する際は、例えば公知のフリップチップボンダを用いて行うことができる。この場合、フリップチップボンダのヘッドで光モジュール１００の裏面１１ｂを吸着して持ち上げ、光モジュール１００を回路基板２００上の所定の位置に移動させて載置し、ヘッドから、筐体１０を介して熱を与えることによって、光モジュール１００の各平面電極パッド１６と回路基板２００上の電極パッドとを半田接合する。これによって、光モジュール１００が実装された回路基板１０００が完成する。
【００４４】
実装の際は、光モジュール１００のガイド孔１７と回路基板２００上のマーカ２２０とを合わせるようにアラインメントすることによって、光モジュール１００を正確に回路基板２００の所望の位置に実装することができる。
【００４５】
なお、有機光導波路２１０は回路基板２００表面に突出しているが、光モジュール１００を回路基板２００に実装した際には、有機光導波路２１０は、導波路導入口１５から内部空間１４に導入された状態となるので、光モジュール１００とは物理的に干渉しないようにできる。
【００４６】
また、フリップチップボンダを用いて実装を行う際には、ヘッドから与える熱によって、板部材１１と枠部材１２とを接合している高融点半田が溶融しないように、この高融点半田よりも融点が低い低融点半田を用いることが好ましい。低融点半田としては、例えば融点が１８３℃程度のＳｎＰｂ系半田や、融点が１３７℃程度のＳｎＢｉ系半田を使用することができる。ただし、枠部材と板部材の接合にＳｎＡｇＣｕを用いた場合でも、溶融後に融点が上昇するため、光モジュール実装時に温度管理を正確に行えばＳｎＡｇＣｕ系半田を使用することも可能である。また、マイクロレンズアレイ素子４０がガラスからなるものであれば、フリップチップボンダによって実装のための加熱を行った場合でも、熱による変形等が起こりにくいので好ましい。また、マイクロレンズアレイ素子４０、レンズアレイ素子ホルダ５０、またはスペーサ６０の接着に使用する接着剤についても、耐熱性が高いエポキシ樹脂等であれば好ましい。
【００４７】
図８は、回路基板上に実装された光モジュールを説明する図である。図８に示すように、ＶＣＳＥＬアレイ素子２０は、ボンディングワイヤ１０１によってＩＣドライバ３０と電気的に接続している。また、ＩＣドライバ３０は、ボンディングワイヤ１０２によって素子実装面１１ａの電極パッド（不図示）と電気的に接続している。さらに、電極パッドは、電気的経路ＤＬで示すように、素子実装面１１ａに形成された配線パターンから、板部材１１、接合層１３、枠部材１２、各平面電極パッド１６を介して、回路基板２００の配線パターンと電気的に接続している。
【００４８】
光モジュール１００のガイド孔１７と回路基板２００上のマーカ２２０とを合わせるようにアラインメントしたことによって、光モジュールの１００のガイド孔１７にＶＣＳＥＬ素子が位置あわせされており、回路基板２００上のマーカ２２０と有機導波路２１０が位置あわせされているので、マイクロレンズアレイ素子４０と有機光導波路２１０との位置関係が適正になるように実装されている。
【００４９】
有機光導波路２１０は、導波路導入口１５から内部空間１４に導入されているので、光モジュール１００とは物理的に干渉しないようになっている。また、枠部材１２の厚さの適正な設定によって、有機光導波路２１０と、マイクロレンズアレイ素子４０およびレンズアレイ素子ホルダ５０とが物理的に干渉しないようになっている。このとき、内部空間１４にごみ等が入らないように、導波路導入口１５をグリスや樹脂等で塞いでも良い。
【００５０】
光モジュール１００の使用時には、ＩＣドライバ３０は、回路基板２００から平面電極パッド１６を介して電源電圧信号、差動高周波信号、制御信号等を供給される。ＶＣＳＥＬアレイ素子２０は、ＩＣドライバ３０によって駆動され、各ＶＣＳＥＬ素子から、差動高周波信号を含むレーザ光信号Ｌを出力する。マイクロレンズアレイ素子４０の各マイクロレンズは、各ＶＣＳＥＬ素子から出力されたレーザ光信号Ｌを受け付けて、有機光導波路２１０の上方から有機光導波路２１０にレーザ光信号Ｌを集光する。楔部２１１は、集光されたレーザ光信号Ｌを反射して有機光導波路２１０に結合させる。有機光導波路２１０は、レーザ光信号Ｌを、例えば他の回路基板に伝送する。
【００５１】
上述したように、スペーサ６０は、板部材１１の変形の抑制の効果、および枠部材１２の厚さの公差によって生じる、基板実装面１２ａからマイクロレンズアレイ素子４０の集光点までの距離のばらつきを減少する効果を奏するので、レーザ光信号Ｌの有機光導波路２１０への好適な結合が実現される。
【００５２】
ここで、回路基板２００には、光モジュール１００と略同様の構成であるが、ＶＣＳＥＬアレイ素子２０の代わりに受光素子であるフォトダイオードアレイ素子が実装され、かつＩＣドライバ３０の代わりにトランスインピーダンスアンプやリミッティングアンプ等が実装された受信用光モジュールが実装されている。この受信用光モジュールは、他の回路基板から、他の有機光導波路を伝送してきたレーザ光信号を受光することができる。これによって、ボード間での光インターコネクションが実現される。
【００５３】
以上説明したように、本実施の形態１に係る光モジュール１００によれば、光モジュール１００と有機光導波路２１０との物理的な干渉は防止される。さらには、ＶＣＳＥＬアレイ素子２０が出力するレーザ光信号Ｌと有機光導波路２１０との好適な光学結合が実現される。
【００５４】
（実施の形態２）
図９は、本発明の実施の形態２に係る光モジュールの模式的な断面図である。図９に示すように、本実施の形態２に係る光モジュール１００Ａは、実施の形態１に係る光モジュール１００において、筐体１０を筐体１０Ａに置き換えた構成を有する点が、光モジュール１００とは異なる。筐体１０Ａは、筐体１０において、板部材１１を板部材１１Ａに置き換えた構成を有する点が、筐体１０とは異なる。
【００５５】
板部材１１Ａは、板部材１１において、ＩＣドライバ３０の裏面側の凹部１１ａｂの底面から貫通するように、複数の棒状の放熱部材７１が埋設された構成を有する。放熱部材７１は熱伝導率が高い材質からなり、たとえば銅やアルミニウムからなることが好ましい。また、板部材１１Ａの裏面１１ｂには放熱部材７１に接するようにヒートシンク７２が設けられている。ヒートシンク７２も熱伝導率が高い材質からなり、たとえば銅やアルミニウムからなることが好ましい。
【００５６】
この光モジュール１００Ａでは、放熱部材７１とヒートシンク７２とによって、ＩＣドライバ３０の動作時に発生する熱が放熱されるのでさらに好ましい。なお、板部材１１Ａにビアホールを形成し、ビアホールに熱伝導率の高い放熱部材７１を埋設する。
【００５７】
光モジュールの実装方法の別の実施例として、半田を用いて実装する場合について説明する。
【００５８】
一般的には、光モジュール１００の平面電極パット１６がある面（基板実装面１２ａ）について、平面電極パット１６上に半田ボールが、光モジュール１００を作製するする最初の段階で載っている/あるいは光モジュール１００を作製した後に載せた、ＢＧＡ（ボール・グリッド・アレイ）状の光モジュール１００とし、その半田を溶かして回路基板（Ｏｐｔｏ−基板）上にその光モジュール１００を実装する。
【００５９】
しかし、本実施例では、光モジュール１００の平面電極面パット１６は図のようにＬＧＡ（ランド・グリッド・アレイ）状とし、半田ボールを使用しない方法にて半田実装をおこなった。
【００６０】
具体的には、電気的接続を行う所定箇所に穴が空いている約１０μｍの厚さのマスク板をＯｐｔｏ−基板に置き、その上から半田クリームを塗布し、ヘラのようなものでならして前記の穴に半田クリームを入れるとともに、前記マスク板厚より厚い余分な半田クリームを取除き、電気的接続をおこなう所定箇所に約１００μｍの厚さの半田クリーム層を形成する。
【００６１】
その後、光モジュール１００とＯｐｔｏ−基板の位置を合わせ、半田を溶かして実装する。この実装は、フリップチップボンダで実装する方法や、リフロー炉を通すリフロー実装の方法などがある。
その後、一般的なアンダーフィル材にて実装面の隙間を埋める。
【００６２】
なお、前記の電気的接続をおこなう所定箇所に形成する約１００μｍの厚さの半田クリーム層は、光モジュール側に形成してもよい。
【００６３】
また、半田ボールを使用しない方法にて半田実装を行った物（光モジュールを実装したＯｐｔｏ−基板）の信頼性に問題がないことを確認した。
【００６４】
上記実装方法を用いた場合、ＢＧＡに比べて半田層を薄くすることが可能なので、枠部材と回路基板の距離のばらつきを小さくすることが可能であり、結果として、光モジュールから出力される光を安定して有機導波路へ結合させることが可能になる。
【００６５】
なお、上記実施の形態では、筐体は板部材と枠部材とを接合して構成したものであるが、開口と内部空間と導波路導入口とを有すれば、その構成は特に限定されず、例えば、板部材と枠部材とを一体に形成したものでもよいが、コの字状の場合はＬＧＡの配置可能な面積を大きく取れるので好ましい。また、板部材の形状も矩形に限られない。さらに、枠部材の形状も、上記実施の形態のように、矩形状の枠体の一辺の全部が開口しているコの字状に限られず、例えば枠の一辺の一部だけが開口しているものや、複数の辺の一部または全部が開口しているものでもよい。
【００６６】
また、回路基板上に設けられている光導波路は、基板表面に突出しているものであれば、有機光導波路に限らず、たとえばシリコン細線導波路等のリッジ型の光導波路や、光ファイバシート、ＰＬＣチップなどの光導波路でもよい。
【００６７】
また、光モジュールの回路基板への実装方法は、フリップチップボンディングに限らず、たとえばリフローや半田スタッドの圧接によって行っても良い。また、上記の光モジュールまたは上記の回路基板を用いた通信システムを構成してもよい。
【００６８】
また、上記実施の形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００６９】
１０、１０Ａ  筐体
１１、１１Ａ  板部材
１１ａ  素子実装面
１１ａａ、２２０  マーカ
１１ａｂ  凹部
１１ｂ  裏面
１２  枠部材
１２ａ  基板実装面
１３  接合層
１４  内部空間
１４ａ  開口
１５  導波路導入口
１６、１６ａ、１６ｂ、１６ｃ、１６ｄ  平面電極パッド
１７、５３  ガイド孔
２０  ＶＣＳＥＬアレイ素子
３０  ＩＣドライバ
４０  マイクロレンズアレイ素子
５０  レンズアレイ素子ホルダ
５１  主表面
５２  保持孔
５４  側面
６０  スペーサ
７１  放熱部材
７２  ヒートシンク
１００、１００Ａ  光モジュール
１０１、１０２  ボンディングワイヤ
２００、１０００  回路基板
２１０  有機光導波路
２１１  楔部
ＤＬ  電気的経路
Ｌ  レーザ光信号
【図１】
2013142731.tif 000003
【図２】
2013142731.tif 000004
【図３】
2013142731.tif 000005
【図４】
2013142731.tif 000006
【図５】
2013142731.tif 000007
【図６】
2013142731.tif 000008
【図７】
2013142731.tif 000009
【図８】
2013142731.tif 000010
【図９】
2013142731.tif 000011